(57)【特許請求の範囲】
【請求項１】
コンテンツ配信サーバとキャッシュサーバと集計サーバから構成されるインターネットシステムにおいて、
集計サーバが、インターネットに接続されたキャッシュサーバおよびコンテンツ配信サーバから、ある期間における各コンテンツに対するアクセス回数を収集し、収集された各コンテンツに対するアクセス回数に基づいて、時間別、日付別、曜日別の分類のうち少なくとも１つ以上の分類によるアクセスランキングを作成し、
コンテンツ配信サーバが、前記アクセスランキングを取得し、前記アクセスランキングに記載のコンテンツのうち自分自身が保持するコンテンツについて、コンテンツの配布先キャッシュサーバの情報を保持するＤＢ管理情報を基に前記自分自身が保持するコンテンツを保持しないキャッシュサーバを特定し、前記自分自身が保持するコンテンツを、そのランキング対象日時の一定時間前に、前記特定されたキャッシュサーバに配信するとともに、前記ＤＢ管理情報に配布先キャッシュサーバとして特定されたキャッシュサーバを登録し、
キャッシュサーバが、前記配信されたコンテンツをキャッシュ領域に格納することを特徴とするインターネットにおける情報キャッシュ方法。
【請求項２】
コンテンツ配信サーバとキャッシュサーバと集計サーバから構成されるインターネットシステムにおいて、
集計サーバが、インターネットに接続されたキャッシュサーバおよびコンテンツ配信サーバから、ある期間における各コンテンツに対するアクセス回数を収集する手段と、収集された各コンテンツに対するアクセス回数に基づいて、時間別、日付別、曜日別の分類のうち少なくとも１つ以上の分類によるアクセスランキングを作成する手段を具え、
コンテンツ配信サーバが、前記アクセスランキングを取得する手段と、前記アクセスランキングに記載のコンテンツのうち自分自身が保持するコンテンツについて、コンテンツの配布先キャッシュサーバの情報を保持するＤＢ管理情報を基に前記自分自身が保持するコンテンツを保持しないキャッシュサーバを特定し、前記自分自身が保持するコンテンツを、そのランキング対象日時の一定時間前に、前記特定されたキャッシュサーバに配信するとともに、前記ＤＢ管理情報に配布先キャッシュサーバとして特定されたキャッシュサーバを登録する手段を具え、
キャッシュサーバが、前記配信されたコンテンツをキャッシュ領域に格納する手段を具えることを特徴とするインターネットシステム。
【請求項３】
コンテンツ配信サーバとキャッシュサーバと集計サーバから構成されるインターネットシステムにおいて情報キャッシュ処理を実行させるためのコンピュータプログラムであって、該プログラムは、
集計サーバに、インターネットに接続されたキャッシュサーバおよびコンテンツ配信サーバから、ある期間における各コンテンツに対するアクセス回数を収集するステップ、収集された各コンテンツに対するアクセス回数に基づいて、時間別、日付別、曜日別の分類のうち少なくとも１つ以上の分類によるアクセスランキングを作成するステップを実行させ、
コンテンツ配信サーバに、前記アクセスランキングを取得するステップ、前記アクセスランキングに記載のコンテンツのうち自分自身が保持するコンテンツについて、コンテンツの配布先キャッシュサーバの情報を保持するＤＢ管理情報を基に前記自分自身が保持するコンテンツを保持しないキャッシュサーバを特定し、前記自分自身が保持するコンテンツを、そのランキング対象日時の一定時間前に、配信先のキャッシュサーバに配信するとともに、前記ＤＢ管理情報に配布先キャッシュサーバとして特定されたキャッシュサーバを登録するステップを実行させ、
キャッシュサーバに、前記配信されたコンテンツをキャッシュ領域に格納するステップを実行させることを特徴とするコンピュータプログラム。
【請求項４】
請求項３に記載されたプログラムを記録したプログラム記録媒体。
【発明の詳細な説明】
【０００１】
【発明の属する技術分野】
本発明は、インターネットシステム、特に、コンテンツ配信サーバとキャッシュサーバから構成されるインターネットシステムに関するものである。
ここで、コンテンツ配信サーバとは、ＨＴＭＬや静止画、動画などを配信するサーバであり、多くはＷＥＢサーバであるが、インターネット放送(動画の配信)のサーバなど、アプリケーションに依存しないコンテンツの配信サーバも含む。
【０００２】
【従来の技術】
従来のこの種のインターネットシステムにおいては、コンテンツ対応にアクセス頻度を収集して、例えば、１ケ月単位あるいは１週間単位のアクセス頻度の累計値に従って、アクセス頻度の多いコンテンツをコンテンツ配信サーバからキャッシュサーバに送信しており、キャッシュサーバでは当該コンテンツを格納して近隣のユーザからの要求によりコンテンツの提供を行っている。
【０００３】
しかし、一般には、ユーザのコンテンツに対するアクセス頻度の多少は曜日や時間帯等の日時によって変化し、１ヶ月あるいは１週間当たりの全アクセス回数の多いコンテンツであっても特定の曜日あるいは時間帯ではアクセスがない場合もあるし、逆に全アクセス回数が少ないコンテンツであっても特定の曜日あるいは時間帯では全アクセス回数が多いコンテンツよりもアクセスされる場合があるので、１ケ月あるいは１週間のトータルのアクセス頻度が多いコンテンツをキャッシュサーバに格納しておく従来の技術では、日時に応じたコンテンツが必ずしもキャッシュサーバに格納されず、ユーザヘのコンテンツの提供が遅延することになる。
【０００４】
【発明が解決しようとする課題】
従って、本発明の目的は、上記の問題点に鑑み、コンテンツ配信サーバとキャッシュサーバから構成されるインターネットシステムにおいて、コンテンツ対応に日時別のアクセス頻度を集計しておき、日時（月日、時間帯だけでなく、曜日、祭日や連休等の情報も含む）に応じたアクセス頻度の多いコンテンツを予めキャッシュサーバに格納するインターネットにおける情報キャッシュ方法を提供することにある。本発明は、更に、当該方法を実施するシステム、ソフトウエア（コンピュータプログラム）及びプログラム記録媒体も提供するものである。
【０００５】
【課題を解決するための手段】
この目的のために、本発明の第１の情報キャッシュ方法は、集計サーバで多くのキャッシュサーバやコンテンツ配信サーバから日時別アクセス頻度情報を収集し、アクセスランキングを作成し、コンテンツ配信サーバがアクセスランキングの情報を取得し、前記アクセスランキングに記載のコンテンツのうち自分自身が保持するコンテンツについて、コンテンツの配布先キャッシュサーバの情報を保持するＤＢ管理情報を基に前記自分自身が保持するコンテンツを保持しないキャッシュサーバを特定し、前記自分自身が保持するコンテンツを、そのランキング対象日時の一定時間前に、前記特定されたキャッシュサーバに配信するとともに、前記ＤＢ管理情報に配布先キャッシュサーバとして特定されたキャッシュサーバを登録し、キャッシュサーバが、前記配信されたコンテンツをキャッシュ領域に格納することを特徴とする。また、本発明のこの第１の方法を実施するシステム、この第１の方法を実行させるコンピュータプログラム、及びこのコンピュータプログラムを記録した記録媒体としても特徴付けられる。
【０００６】
本発明の第２の情報キャッシュ方法は、この方法では集計サーバで多くのキャッシュサーバやコンテンツ配信サーバから日時別アクセス頻度情報を収集し、アクセスランキングを作成するが、キャッシュサーバがアクセスランキングの情報を取得し、この情報に基づいてキャッシュサーバからコンテンツ配信サーバにコンテンツをとりにいくように構成できる。また、本発明のこの第２の方法を実施するシステム、この第２の方法を実行させるプログラム、このプログラムを記録した記録媒体としても構成できる。
【０００７】
本発明の第３の情報キャッシュ方法は、この方法では集計サーバを用いず、キャッシュサーバ自身で日時別アクセス頻度情報を収集し、アクセスランキングを作成し、そのアクセスランキングの結果に基づいて、キャッシュサーバからコンテンツ配信サーバにコンテンツをとりにいくように構成できる。また、本発明のこの第３の方法を実施するシステム、この第３の方法を実行させるプログラム、このプログラムを記録した記録媒体としても構成できる。
【０００８】
【発明の実施の形態】
以下、本発明の実施例を図面により詳細に説明する。
本発明を実現するためのネットワーク構成例を図１に示す。
本例インターネットシステムは、ＨＴＭＬや静止画、動画などの種々のコンテンツを配信する多数のコンテンツ配信サーバＭ，Ｎと当該コンテンツを近隣のユーザに提供するキャッシュサーバａ，ｂ，．．及びこれらのサーバに格納されるコンテンツの日時別のアクセス頻度を集計する集計サーバＡから構成される。
ユーザが操作する端末であるクライアントＣ1，Ｃ2，．．，Ｃnはインターネットを経由して最寄りのサーバ、例えばキャッシュサーバａ，ｂ，．．にアクセスする。
【０００９】
本発明を実現するためのキャッシュサーバ、コンテンツ配信サーバ及び集計サーバの構成例をそれぞれ図２、図３及び図４に示す。図２中、１はアクセス頻度管理部、２は回線制御部、３は通信管理部、４はデータベース（ＤＢ）管理部、５はデータベース（ＤＢ）部、６はオペレーティングシステム（ＯＳ）を表わし、図３中、７はランキング管理部、８はアクセス頻度管理部、９は回線制御部、１０は通信管理部、１１はＤＢ管理部、１２はＤＢ部、１３はＯＳを表わし、図４中、１４はランキング管理部、１５はアクセス頻度管理部、１６は回線制御部、１７は通信管理部、１８はＯＳを表している。
【００１０】
本発明の第１の方法は、コンテンツ配信サーバが、当該サーバが配信するコンテンツを各キャッシュサーバが保持するかどうかを管理し、集計サーバから送信された日時別のアクセスランキングに基づいて、前記ランキング内のコンテンツのうち自分自身が保持しているコンテンツを、そのランキング対象日時の一定時間前に、当該キャッシュサーバに送信するものであり、以下にこの方法を実施する第１の実施例を説明する。
【００１１】
ユーザは、パソコン等を用いて所望のコンテンツを対応するインターネットアドレスを指定して最寄りのサーバ（以下、キャッシュサーバと言う）に対して要求する。
【００１２】
キャッシュサーバでは、回線制御部２は当該要求を通信管理部３に通知する。通信管理部３は、当該要求から前記インターネットアドレスを抽出して当該インターネットアドレスをＤＢ管理部４に通知する。ＤＢ管理部４は、ＤＢ管理情報を参照して当該インターネットアドレスが存在する場合にはＤＢ内格納アドレス及びサイズを抽出し、当該格納アドレス及びサイズをＤＢ部５に通知する。ここで、キャッシュサーバにおけるＤＢ管理情報の構成例を図５に示す。ＤＢ部５は、当該格納アドレスからサイズで示されるまでのコンテンツ情報をＤＢ管理部４に通知する。ＤＢ管理部４は、当該コンテンツ情報を通信管理部３に通知する。通信管理部３は、当該コンテンツ情報を回線制御部２に通知するとともにアクセス頻度管理部１に当該コンテンツの前記インターネットアドレスを通知する。アクセス頻度管理部１は、ＯＳ６から現在の日時を取得し、アクセス頻度管理情報を参照して、当該日時及び当該インターネットアドレスに対応するアクセス頻度を１加算する。ここで、アクセス頻度管理情報の構成例を図６に示す。回線制御部２は、当該コンテンツ情報をユーザに送信する。
【００１３】
上記において、ＤＢ管理部４は、ＤＢ管理情報を参照して当該インターネットアドレスが存在しない場合には、当該インターネットアドレスで示されるコンテンツ配信サーバに対するコンテンツの要求を回線制御部２に通知する。回線制御部２は、当該要求を当該コンテンツ配信サーバに送信する。
当該コンテンツ配信サーバでは、回線制御部９は当該要求を通信管理部１０に通知する。通信管理部１０は、当該要求から前記インターネットアドレスを抽出して当該インターネットアドレス及び要求元キャッシュサーバをＤＢ管理部１１に通知する。ＤＢ管理部１１は、当該インターネットアドレスでＤＢ管理情報を参照して、ＤＢ内格納アドレス及びサイズを抽出し当該格納アドレス及びサイズをＤＢ部１２に通知するとともに、配布先キャッシュサーバとして前記キャッシュサーバを登録する。ここで、コンテンツ配信サーバにおけるＤＢ管理情報の構成例を図７に示す。ＤＢ部１２は、当該格納アドレスからサイズで示されるまでのコンテンツ情報をＤＢ管理部１１に通知する。ＤＢ管理部１１は、当該コンテンツ情報を通信管理部１０に通知する。通信管理部１０は、当該コンテンツ情報を回線制御部９に通知する。回線制御部９は、当該コンテンツ情報をキャッシュサーバに送信する。
【００１４】
キャッシュサーバでは、回線制御部２は当該コンテンツ情報を通信管理部３に通知する。通信管理部３は、当該コンテンツ情報を前記ユーザに送信してアクセス頻度管理部１に当該コンテンツの前記インターネットアドレスを通知するとともに、前記コンテンツ情報をＤＢ管理部４に通知する。アクセス頻度管理部１は、ＯＳ６から現在の日時を取得し、アクセス頻度管理情報を参照して、当該日時及び当該インターネットアドレスに対応するアクセス頻度を１加算する。また、ＤＢ管理部４は、ＤＢ部５内の未使用領域が有る場合には、当該未使用領域から当該格納アドレス及びサイズを指定して当該コンテンツ情報をＤＢ部５に通知する。ＤＢ部５は、当該コンテンツ情報を当該格納アドレスに格納する。ＤＢ管理部４は、ＤＢ管理情報の未使用フィールドに“使用”、インターネットアドレス及び前記ＤＢ内格納アドレス、サイズを設定する。上記において、ＤＢ管理部４は、ＤＢ部５内の未使用領域が無い場合には、ＯＳ６から現在の日時を取得して、現在の日時に関するアクセス頻度管理情報を取得して、現在格納しているコンテンツの中でアクセス頻度の少ないコンテンツを抽出して当該コンテンツを削除して、このコンテンツを格納していた格納アドレスを前記コンテンツ情報用にＤＢ部５に通知する。ＤＢ部５は、前記コンテンツ情報を当該格納アドレスに格納する。ＤＢ管理部４は、ＤＢ管理情報の対応するフィールドに“使用’’、インターネットアドレス及び前記ＤＢ内格納アドレス、サイズを設定するとともに上記で削除したコンテンツのインターネットアドレスを通信管理部３に通知する。通信管理部３は、当該インターネットアドレスからコンテンツ配信サーバを特定して当該インターネットアドレスを指定してコンテンツ削除を回線制御部２に通知する。回線制御部２は、当該コンテンツ配信サーバに当該コンテンツ削除を通知する。
【００１５】
コンテンツ配信サーバでは、回線制御部９は、当該コンテンツ削除を通信管理部１０に通知する。通信管理部１０は、当該コンテンツ削除をＤＢ管理部１１に通知する。ＤＢ管理部１１は、当該インターネットアドレスでＤＢ管理情報を参照して、配布先キャッシュサーバとして当該コンテンツ削除を送信したキャッシュサーバを削除する。
【００１６】
キャッシュサーバでは、定期的にあるいは随時、通信管理部３はアクセス頻度をアクセス頻度管理部１に対して要求する。アクセス頻度管理部１は、当該アクセス頻度を通信管理部３に通知する。通信管理部３は、当該アクセス頻度を回線制御部２に通知する。回線制御部２は、当該アクセス頻度を対応するコンテンツ配信サーバに送信する。
【００１７】
コンテンツ配信サーバでは、回線制御部９は各キャッシュサーバから送信される上記アクセス頻度を通信管理部１０に通知する。通信管理部１０は、アクセス頻度をアクセス頻度管理部８に対して要求する。アクセス頻度管理部８は、当該アクセス頻度を通信管理部１０に通知する。通信管理部１０は、前記各キャッシュサーバから通知されたアクセス頻度とアクセス頻度管理部８から通知されたアクセス頻度を合計し、合計したアクセス頻度を集計サーバに送信する。
【００１８】
集計サーバでは、回線制御部１６は各コンテンツ配信サーバから送信された前記コンテンツ対応のアクセス頻度を通信管理部１７に通知する。通信管理部１７は、当該コンテンツ対応アクセス頻度をアクセス頻度管理部１５に通知する。アクセス頻度管理部１５は、各コンテンツ配信サーバからのコンテンツ対応のアクセス頻度を集計し、一定期間におけるシステム全体のコンテンツ対応アクセス頻度を計算し、このアクセス頻度を基に、時間帯別、日付別、曜日別の分類のうちの少なくとも１つ以上の分類、例えば曜日時間帯別に、アクセスランキング、例えば、アクセスベスト１０を作成し、当該コンテンツ対応アクセス頻度及び当該ベスト１０をアクセスランキング管理部１４に保持するとともに、当該ベスト１０を通信管理部１７に対して通知する。通信管理部１７は、当該ベスト１０に含まれるコンテンツを当該コンテンツを配信するコンテンツ配信サーバに対して回線制御部１６を経由して通知する。
【００１９】
コンテンツ配信サーバでは、回線制御部９は前記コンテンツを通信管理部１０に通知する。通信管理部１０は、当該コンテンツをランキング管理部７に通知する。ランキング管理部７は当該コンテンツをランキング管理情報に格納する。ここで、ランキング管理情報の構成例を図８に示す。
【００２０】
そして、コンテンツ配信サーバでは、ＯＳ１３からの現在日時に基づいて、前記アクセスランキングの各対象日時の一定時間前に、通信管理部１０はランキング管理部７に通知する。ランキング管理部７は、上記で格納したランキング管理情報を通信管理部１０に通知する。通信管理部１０は、前記ランキング管理情報に格納されているコンテンツをＤＢ管理部１１に通知する。ＤＢ管理部１１は、ＤＢ管理情報を参照して前記ランキング管理情報内のコンテンツのうち自分自身が保持しているコンテンツについて、当該コンテンツを保持しないキャッシュサーバを特定して、当該コンテンツ及び当該キャッシュサーバを通信管理部１０に通知する。通信管理部１０は、当該キャッシュサーバに対する当該コンテンツを回線制御部９に通知する。回線制御部９は、当該キャッシュサーバに対して当該コンテンツを送信する。
【００２１】
キャッシュサーバでは、回線制御部２は当該コンテンツを受信すると通信管理部３に当該コンテンツを通知する。通信管理部３は、当該コンテンツをＤＢ管理部４に通知する。ＤＢ管理部４は、前記と同様に、ＤＢ管理情報を参照して当該コンテンツを格納する。
【００２２】
上述したキャッシュサーバにおけるキャッシュ処理に関するフローチャートの例を図９に示す。
上述したコンテンツ配信サーバにおけるキャッシュサーバからのコンテンツ要求処理に関するフローチャートの例を図１０に示す。
上述したコンテンツ配信サーバにおけるアクセス頻度の収集処理に関するフローチャートの例を図１１に示す。
上述した集計サーバにおける集計処理に関するフローチャートの例を図１２に示す。
【００２３】
上記実施例では、キャッシュサーバのＤＢ部内に未使用領域がない場合には、当該キャッシュサーバが収集したアクセス頻度に基づいてコンテンツの削除を行うが、このコンテンツの削除は集計サーバが集計したアクセス頻度に基づいて行うこともできる。その場合には、集計サーバが集計したアクセス頻度をコンテンツ配信サーバを経由してあるいは直接キャッシュサーバが取得して、当該アクセス頻度に関して上記と同様の処理を行うことができる。
【００２４】
本発明の第２の方法は、キャッシュサーバが、集計サーバから送信された日時別のアクセスランキングに基づいて、当該アクセスランキング内にあって当該キャッシュサーバにないコンテンツを、そのアクセスランキング対象日時の一定時間前に、当該コンテンツ配信サーバに要求してコンテンツ配信サーバから受信した当該コンテンツを保持するものであり、以下にこの方法を実施する第２の実施例を説明する。
【００２５】
本例では、キャッシュサーバにランキング管理部を設け、キャッシュサーバが、集計サーバが日時別に集計したコンテンツ対応のアクセス頻度に基づいて作成したアクセスランキングをコンテンツ配信サーバを経由して、あるいは、集計サーバから直接取得し、ランキング管理部に格納し、アクセスランキングの対象日時に一定時間前に、アクセスランキング内にあって当該キャッシュサーバにないコンテンツを特定し、当該コンテンツを配信するコンテンツ配信サーバから取得することにより第１の実施例と同様のキャッシュ処理を実現できる。
【００２６】
なお、キャッシュサーバにおいて、コンテンツ配信サーバから送信されたコンテンツ情報を格納するための記憶容量の未使用領域が無い場合には当該日時でのアクセス頻度の少ないコンテンツを削除するが、コンテンツ配信サーバに対しては当該コンテンツ削除を通知しない。
【００２７】
本発明の第３の方法は、集計サーバを用いずに、キャッシュサーバ自身で日時別のアクセスランキングを作成し、アクセスランキング内にあって当該キャッシュサーバが保持しないコンテンツを、そのアクセスランキング対象日時の一定時間前に、当該コンテンツ配信サーバに要求してコンテンツ配信サーバから受信した当該コンテンツを保持するものであり、以下にこの方法を実施する第３の実施例を説明する。
【００２８】
本例では、キャッシュサーバにラインキング管理部を設け、そのアクセス頻度管理部が各コンテンツ配信サーバから送信されたコンテンツ対応のアクセス頻度に基づいて日時別のアクセスランキングを作成し、このアクセスランキングをランキング管理部に格納し、アクセスランキングの対象日時の一定時間前に、アクセスランキング内にあって当該キャッシュサーバにないコンテンツを特定し、当該コンテンツを配信するコンテンツ配信サーバから取得することにより第１の実施例と同様のキャッシュ処理を実現できる。
【００２９】
ここで、日時とは、月日、時間帯のみでなく、曜日、祭日、雨の日や晴れの日などの情報も含む。
また、アクセスランキングの対象日時の一定時間前とは当該日時の１０分前などのことである。
更に、コンテンツの指定形式としては、サーバアドレス＋当該コンテンツが格納されているファイル名で指定される。そして、必要に応じて、当該サーバにおける当該ファイルが属するディレクトリ名が追加され、その場合には、サーバアドレス＋ディレクトリ名＋当該コンテンツが格納されているファイル名、となる。
【００３０】
尚、上述したキャッシュサーバ、コンテンツ配信サーバ及び集計サーバは実際にはマイクロプロセッサで実現され、上述した第１〜第３の方法の種々の処理はコンピュータプログラムで実行されること勿論である。このプログラムは記録媒体に記録して使用することができる。
【００３１】
【発明の効果】
以上説明したように、本発明によれば、コンテンツ配信サーバ及びキャッシュサーバから構成されるインターネットシステムにおいて、日時別にあるいは天候情報別にアクセス頻度の多いコンテンツが予めキャッシュサーバに格納されるので、ユーザからのコンテンツの要求に対して当該コンテンツを迅速に提供することが可能となる。
【図面の簡単な説明】
【図１】  本発明を実現するためのネットワーク構成例を示す図である。
【図２】  本発明を実現するためのキャッシュサーバの構成例を示す図である。
【図３】  本発明を実現するためのコンテンツ配信サーバの構成例を示す図である。
【図４】  本発明を実現するための集計サーバの構成例を示す図である。
【図５】  キャッシュサーバにおけるＤＢ管理情報の構成例を示す図である。
【図６】  アクセス頻度管理情報の構成例を示す図である。
【図７】  コンテンツ配信サーバにおけるＤＢ管理情報の構成例を示す図である。
【図８】  コンテンツ配信サーバにおけるランキング管理情報の構成例を示す図である。
【図９】  キャッシュサーバにおけるキャッシュ処理に関するフローチャートの例を示す図である。
【図１０】  コンテンツ配信サーバにおけるキャッシュサーバからのコンテンツ要求処理に関するフローチャートを示す図である。
【図１１】  コンテンツ配信サーバにおけるアクセス頻度の収集処理に関するフローチャートの例を示す図である。
【図１２】  集計サーバにおける集計処理に関するフローチャートの例を示す図である。
【符号の説明】
Ｃ1，Ｃ2，．．，Ｃn  クライアント
Ｍ，Ｎ  コンテンツ配信サーバ
ａ，ｂ，．．  キャッシュサーバ
Ａ  集計サーバ
１  アクセス頻度管理部
２  回線制御部
３  通信管理部
４  ＤＢ管理部
５  ＤＢ部
６  ＯＳ(オペレーティングシステム)
７  ランキング管理部
８  アクセス頻度管理部
９  回線制御部
１０  通信管理部
１１  ＤＢ管理部
１２  ＤＢ部
１３  ＯＳ(オペレーティングシステム)
１４  ランキング管理部
１５  アクセス頻度管理部
１６  回線制御部
１７  通信管理部
１８  ＯＳ(オペレーティングシステム)
【図１】
0004025034.tif 000002
【図２】
0004025034.tif 000003
【図３】
0004025034.tif 000004
【図４】
0004025034.tif 000005
【図５】
0004025034.tif 000006
【図６】
0004025034.tif 000007
【図７】
0004025034.tif 000008
【図８】
0004025034.tif 000009
【図９】
0004025034.tif 000010
【図１０】
0004025034.tif 000011
【図１１】
0004025034.tif 000012
【図１２】
0004025034.tif 000013